(57)【要約】      （修正有）【課題】底面板に連続する側面板及び端面板を折曲起立して外壁を形成し、上方を開口した段ボール製の組立箱体であって、端面板に連続して端面板上縁から箱内方に折曲する上縁板と、上縁板の両側を側面板に添って折畳み、側面板下縁に連結される側面補強板とからなる補強部を備え、側面補強板の連結操作を容易とし且つ連結個所を外れ難くした包装箱を提供する。【解決手段】側面板２の下縁と側面補強板５との連結構造を、側面補強板の下辺から突出形成した連結突部６と、連結突部を底面板側に折曲した際に対応する底面板に形成した連結受部７とで構成する。連結受部は、底面板の側面板側に設けた差込孔７１及び差込孔の幅に切込を設けて形成した抑えフラップ７２からなり、連結突部６は抑えフラップ７２の上面に配設されている。【選択図】図４
0003217601.tif 000002
【実用新案登録請求の範囲】
【請求項１】
底面板に連続する側面板及び端面板を折曲起立して外壁を形成し、上方を開口した段ボール製の組立箱体であって、端面板に連続して端面板上縁から箱内方に折曲する上縁板と、上縁板の両側を側面板に添って折畳み、側面板下縁に連結される側面補強板とからなる補強部を備えた包装箱において、前記の側面板下縁と側面補強板との連結構造を、側面補強板の下辺から突出形成した連結突部と、連結突部を底面板側に折曲した際に対応する底面板に、側面板側に設けた差込孔及び差込孔の幅に切込を設けて形成した抑えフラップからなる連結受部とで構成し、連結突部を抑えフラップの上面に配設してなることを特徴とする包装箱。
【請求項２】
連結突部を、側面板高さと一致させた側面補強板の下縁より段ボールの厚さ分上方に移動した折れ線から突設すると共に、前記折れ線から突出方向に適宜長さ連結受部と一致する幅に形成し、突出先方を連結受部の幅よりも幅広に形成してなる請求項１記載の包装箱。
【請求項３】
側面板の両側に内折フラップを設けて外壁を形成すると共に、側面板及び内折フラップの角部分に上方突出辺を設け、上縁板の角部分を紙厚分切除して前記突出辺の内側に嵌合してなる請求項１又は２記載の包装箱。
【請求項４】
側面板に箱上縁より上方に突出する抑え部を設けると共に、抑え部の端縁を上縁板上方にまで延設し、前記延設箇所の上縁板の両側前端と対応する位置に掛止凹溝を形成し、上縁板の両側前端を前記掛止凹溝に嵌合してなる請求項１乃至３記載の何れかの包装箱。
【請求項５】
上縁板の中間部分を箱内方に折返し、底面板に達する端面補強板を設けてなる請求項１乃至４記載の何れかの包装箱。
【考案の詳細な説明】
【技術分野】
【０００１】
本考案は、段ボール紙の展開板から組み立てられる包装箱に関するものである。
【背景技術】
【０００２】
主として青果物などを収納して運搬する段ボール紙製の包装箱は、底板の四周に外壁を設け上方を開口した組立箱体で、特に積層耐久力を高めるために外壁部を構成する端面側に補強部を設けているものが知られている。
【０００３】
補強部は、端面板に連続して端面板上縁から箱内方に折曲する上縁板と、上縁板の両側に側面板に添って折畳まれ、側面板下縁で連結される側面補強板で構成されている（特許文献１，２）。
【先行技術文献】
【特許文献】
【０００４】
【特許文献１】実公平２−３２５７５号公報。
【特許文献２】特開２００５−１５００９号公報。
【考案の概要】
【考案が解決しようとする課題】
【０００５】
端面板に連続する上縁板及び側面補強板で構成した補強部を備えた包装箱における側面補強板と側面板下縁箇所との連結は、側面板下縁に設けた差込溝孔に、側面補強板の先端に設けた差込突片を差し入れることで連結するものであるが、差込突片を小さくして差込溝孔を大きくすると挿着操作は容易であるが、直ぐに抜け出でしまう虞があるので、抜け難いように差込突片を膨出係止形状（首部分を差込溝孔の幅と一致させ、係止膨出部分を備える）としている。このため強い差込力を必要となり連結操作（箱の組体操作)が煩瑣となってしまう。
【０００６】
そこで本考案は、補強側板の連結操作が容易で且つ連結個所が外れ難くした新規な構造を備えた包装箱を提案したものである。
【課題を解決するための手段】
【０００７】
本考案の請求項１記載に係る包装箱は、底面板に連続する側面板及び端面板を折曲起立して外壁を形成し、上方を開口した段ボール製の組立箱体であって、端面板に連続して端面板上縁から箱内方に折曲する上縁板と、上縁板の両側を側面板に添って折畳み、側面板下縁に連結される側面補強板とからなる補強部を備えた包装箱において、前記の側面板下縁と側面補強板との連結構造を、側面補強板の下辺から突出形成した連結突部と、連結突部を底面板側に折曲した際に対応する底面板に、側面板側に設けた差込孔及び差込孔の幅に切込を設けて形成した抑えフラップからなる連結受部とで構成し、連結突部を抑えフラップの上面に配設してなることを特徴とするものである。
【０００８】
而して積層耐久力を高める側面補強板と側面板下縁箇所との連結は、差込孔に側面板の横方向ではなく、底面板の下方から連結突部を連結受部に向かって押し上げると、連結突部が抑えフラップの上方に位置して連結突部と抑えフラップが積層状態で一体化し、簡単な操作で連結がなされる。
【０００９】
本考案の請求項２記載に係る包装箱は、特に連結突部を、側面板高さと一致させた側面補強板の下縁より段ボールの厚さ分上方に移動した折れ線から突設すると共に、前記折れ線から突出方向に適宜長さ連結受部と一致する幅に形成し、突出先方を連結受部の幅よりも幅広に形成してなるものである。
【００１０】
従って連結突部の折曲面（連結時）が底面板（抑えフラップ）と設計上高さが一致するので、連結突部と抑えフラップの積層が密着状態となり、且つ連結突部の幅広部分（係止部）が差込孔及び抑えフラップの幅位置よりも突出することになるので、連結突部と連結受部とが堅牢に一体化される。
【００１１】
また本考案の請求項３記載に係る包装箱は、側面板の両側に内折フラップを設けて外壁を形成すると共に、側面板及び内折フラップの角部分に上方突出辺を設け、上縁板の角部分を紙厚分切除して前記突出辺の内側に嵌合してなるものであり側面板（上方突出辺）を、上縁板の切除端面と側面補強板とで挟持することになり、箱全体の堅牢度を増すものである。
【００１２】
また本考案の請求項４記載に係る包装箱は、側面板に箱上縁より上方に突出する抑え部を設けると共に、抑え部の端縁を上縁板上方にまで延設し、前記延設箇所の上縁板の両側前端と対応する位置に掛止凹溝を形成し、上縁板の両側前端を前記掛止凹溝に嵌合してなるもので、包装箱の組立工程において、上縁板を前方へ折曲した際に両側前端を掛止凹溝に篏合すると、上縁板の折曲状態が維持されて、上縁板を抑えておくこと無く、側面補強板の折曲並びに連結突部と連結受部の連結作業を両手で行うことができる。勿論箱全体の堅牢度も増す。
【００１３】
また本考案の請求項４記載に係る包装箱は、上縁板の中間部分を箱内方に折返し、底面板に達する端面補強板を設けてなるもので、端面部分が二重壁に形成され、積層耐力が増加するものである。
【考案の効果】
【００１４】
本考案の構成は上記のとおり、側面補強板と側面板の下縁箇所での連結構造を、連結突部と底面板に設けた差込孔及び抑えフラップからなる連結受部とで構成し、連結突部を押し上げ操作で連結するもので、包装箱の組体作業を容易にしたものである。
【図面の簡単な説明】
【００１５】
【図１】本考案の第一実施形態の全体斜視図。
【図２】同要部斜視図（角部内方視）。
【図３】同図（角部上方視）。
【図４】同組立途中の説明図。
【図５】同展開図。
【図６】同第二実施形態の全体斜視図。
【図７】同要部斜視図。
【図８】同展開図。
【考案を実施するための形態】
【００１６】
次に本考案の実施形態について説明する。図１乃至５に示した第一実施形態は、段ボールの１枚の展開板を組み立てて形成する包装箱で、底面板１に連続する側面板２及び端面板３を折曲起立して外壁を形成し、端面板３に連続して端面板３の上縁から箱内方に折曲する上縁板４と、上縁板４の両側を側面板２に添って折畳み、側面板２の下縁箇所で連結される側面補強板５とを備えてなるものである。
【００１７】
前記側面板２は、底面板１に折れ線２ａを介して連設されるもので、箱の高さと一致する側面上縁２１より上方に突出した抑え部（組立箱を積み重ねた際の上方の箱の側面を抑える）２２を備え、側面板２の両側に折れ線２ｂを介して端面板３の内方に折り込まれる内折フラップ２３を連設し、側面板２と内折フラップ２３との間の折れ線３ｂを跨いだ適宜な範囲（箱の角部分となる）に、前記側面上縁２１より紙厚分突出する上方突出辺２４を設けてなる。
【００１８】
更に前記の抑え部２２の両端部分は、上縁板４を箱内方に折曲した際の上縁板４の両側前端部分の上方にまで延設し、前記延設箇所の上縁板４の両側前端と対応する位置に掛止凹溝２５を形成してなる。
【００１９】
端面板３は、底面板１に折れ線３ａを介して連設され、上縁に（折れ線３ｂを介し）適宜幅で上縁板４を連設し、中央部分に持ち手孔３１を穿設してなる。
【００２０】
側面補強板５は上縁板４の左右に折れ線４ａを介して組立箱の高さに応じて設けたもので、折畳んだ際の下縁に連結突部６を設けてなる。
【００２１】
また前記上縁板４の折れ線３ｂ，４ａの角部には、上方突出辺２４に対応する範囲の紙厚分の切除部４１を設けてなる。
【００２２】
連結突部６は、側面補強板５の下辺から突出形成したもので、特に側面板２の高さと一致させた側面補強板の下縁より紙厚分上方に移動した折れ線６ａから突設すると共に、前記折れ線６ａから突出方向に、下記する連結受部７と一致する幅に形成し、且つ突出先方を連結受部７の幅よりも幅広として係止部６１を備えてなる。
【００２３】
連結受部７は、連結突部６を底面板１の下方へ折曲した際に対応する底面板１（一部側面板２）に設けたもので、差込孔７１と抑えフラップ７２で構成される。差込孔７１は連結突部６の幅（係止部６１を除く幅）に対応し、折れ線２ａから紙厚分だけ側面板２に入り込み、連結突部６の半分程度の範囲で底面板１に設けたもので、抑えフラップ７２は、差込孔７１の幅で底面板１の奥方に切り込んだ切込７３によって形成したもので、差込孔７１と合わせて連結突部６の突出長と対応するようにしたものである。
【００２４】
図５に示した展開板から包装箱の組立過程を説明すると、従前の包装箱と同様に側面板２を起立させて内折フラップ２３を折曲し、更に端面板３を起立させて（図４）、上縁板４を箱内方へ折曲し、上方突出辺２４の内側に上縁板４の切除部４１を嵌め込むと同時に、上縁板４の両側前端を掛止凹溝２５に嵌合する。前記の嵌合によって、底面板１の周囲に外壁（側面板２及び端面板３）を備え、上縁板４を側面板２間に架設した箱体が一旦形成される。
【００２５】
その後、側面補強板５を側面板２に添わせて折曲し、連結突部６と連結受部７の連結を行う。
【００２６】
連結突部６と連結受部７の連結は、連結突部６を折れ線６ａから底面板１の底方に折り曲げ、連結受部７の抑えフラップ７２を押し上げて、連結突部６を抑えフラップ７２の上方に位置させることで行われ、これによって包装箱が組み立てられるものである。
【００２７】
特に連結突部６と抑えフラップ７２は、設計上その高さが一致するので、組立状態では連結突部６と抑えフラップ７２の積層が密着状態となり、また係止部６１が抑えフラップ７２からはみ出すので、連結突部６が抑えフラップ７２を押し下げて連結受部７より離脱することなく、連結突部６と連結受部７とが堅牢に一体化される。
【００２８】
図６乃至７は本考案の第二実施形態を示したもので、前記第一実施形態の上縁板４の変更した例である。
【００２９】
第二実施形態の上縁板４Ａは、角部分にのみに三角形状（若しくは四分の一円形状）に形成し、中間部分を、左右の上縁板４Ａと面一となる上端面部８と、前記上端面部８から箱内方に折曲する端面補強板９としたものである。
【００３０】
端面補強板９は、切曲して端面板３と二重化壁構造となるもので、折曲下縁が底面板１に当接すると共に、底面板１に設けた装着孔１１に係止する係止突部９１を設けたものである。
【００３１】
また端面板３、上端面部８及び端面補強板９の上縁には持ち手用抉り部（展開板では透孔となる）８１を形成したものである。
【００３２】
而して前記の包装箱は、第一実施形態と同様に組み立てられると共に、端面部分が二重壁に形成されることになり、積層耐力を高められるものである。
【符号の説明】
【００３３】
１      底面板
１１    装着孔
２      側面板
２１    側面上縁
２２    抑え部
２３    内折フラップ
２４    上方突出辺
２５    掛止凹溝
３      端面板
３１    持ち手孔
４，４Ａ    上縁板
４１    切除部
５      側面補強板
６      連結突部
６１    係止部
７      連結受部
７１    差込孔
７２    抑えフラップ
７３    切込
８      上端面部
８１    持ち手用抉り部
９      端面補強板
９１    係止突部
【図１】
0003217601.tif 000003
【図２】
0003217601.tif 000004
【図３】
0003217601.tif 000005
【図４】
0003217601.tif 000006
【図５】
0003217601.tif 000007
【図６】
0003217601.tif 000008
【図７】
0003217601.tif 000009
【図８】
0003217601.tif 000010